(57)【要約】【課題】マルチレートトランスポンダを使用する光中継光伝送システムにおいて、主信号から伝送速度を設定することで別の監視ネットワークを利用せずに設定を行なうことで簡易に安定性の高いネットワークを提供する。【解決手段】光中継光伝送システムにおいてマルチレートトランスポンダの伝送速度設定を行なう際に主信号に速度変更用のデータパターンを送出し、その設定情報のやりとりを行なう。簡易に光中継光伝送システムの対向装置の伝送速度設定を実現することができる。【選択図】図８Ｂ
2011010004.tif 000002
【特許請求の範囲】
【請求項１】
複数の伝送速度の光信号を収容し、光中継装置に接続された光トランスポンダにおいて、
前記光信号の伝送速度を取得し、前記光中継装置に取得した伝送速度を送信し、前記光中継装置または前記光中継装置に接続された光伝送装置から、当該伝送速度に対応可能の信号を受信したとき、前記光中継装置に速度設定要求を送信することを特徴とする光トランスポンダ。
【請求項２】
請求項１に記載の光トランスポンダであって、
前記光中継装置とスイッチを介して接続され、
前記スイッチに取得した伝送速度を送信し、前記スイッチからポート使用状況情報を取得することを特徴とする光トランスポンダ。
【請求項３】
請求項２に記載の光トランスポンダであって、
取得した前記ポート使用状況情報に基づいて、前記スイッチに予備伝送路記録要求を送信することを特徴とする光トランスポンダ。
【請求項４】
複数の伝送速度の光信号を収容する光トランスポンダと、この光トランスポンダに接続されたスイッチと、このスイッチの複数のポートに接続された複数の光中継装置とからなる光伝送システムにおいて、
前記光トランスポンダは、前記光信号の伝送速度を取得し、前記スイッチに取得した伝送速度を送信し、前記光中継装置または前記光中継装置に接続された光伝送装置から、当該伝送速度に対応可能の信号を受信したとき、前記光中継装置に速度設定要求を送信することを特徴とする光伝送システム。
【請求項５】
請求項４に記載の光伝送システムであって、
前記光トランスポンダは、前記スイッチからポート使用状況情報を取得することを特徴とする光伝送システム。
【発明の詳細な説明】
【技術分野】
【０００１】
本発明は光トランスポンダおよび光伝送システムに係り、特にマルチレート光トランスポンダおよびそれを用いた光伝送システムに関する。
【背景技術】
【０００２】
光伝送システムの光変換部として、さまざまインタフェースに対応するマルチレートトランスポンダが実用化されている。伝送インタフェースに合わせて個々に伝送速度を設定するトランスポンダは、トランスポンダを設置してある伝送装置にて直に設定を行なうか、遠隔の伝送装置に対して監視制御ネットワークを事前に構築し、この監視制御ネットワークを通して個々のトランスポンダに伝送速度設定を行なう必要がある。
【０００３】
監視制御ネットワークを使用せず伝送路上の中継装置、トランスポンダに設定を行なう方法が、特許文献１に提案されている。しかし、この方法では、一台のトランスポンダまたは中継装置に手動で設定を行なう必要がある。すなわち、伝送路の障害発生時、スイッチによって予備の伝送路に切り替わった際に、再度速度設定を行なわなければならない。予備の伝送路にもあらかじめ速度設定を行なうことが可能な方法が、特許文献１で提案されている。しかし、この方法では監視制御を行なう別のインタフェースが必要となる。この結果、システムコストへの影響が避けられない。
【先行技術文献】
【特許文献】
【０００４】
【特許文献１】特開２００８−２５８７０１号公報
【発明の概要】
【発明が解決しようとする課題】
【０００５】
本発明は、マルチレートトランスポンダを使用する光中継光伝送システムにおいて、主信号から伝送速度を設定することで別の監視ネットワークを利用せずに設定を行なうことで簡易に安定性の高いネットワークを提供する。
【課題を解決するための手段】
【０００６】
本発明によれば、トランスポンダや中継装置に対して速度設定を行う際に、クライアント信号の周波数を自動的に判別した後、対向するトランスポンダや光中継装置へ制御用信号を送信し、トランスポンダや光中継装置は受信した制御信号から伝送速度の設定をすることで簡易に信号速度の変更を行うことができる。その際に伝送路上の経路切り替えスイッチを検出し、使用可能な予備の伝送路が存在する場合にはあらかじめ速度設定を行うことで障害発生時には自動的に即時経路切り替えが行える。また、スイッチに切り替え先を記録するため、監視制御用のインタフェースを必要とすることなく自動速度設定、予備伝送路登録、障害発生時の自動経路切り替えが実現できる。
【０００７】
上述した課題は、複数の伝送速度の光信号を収容し、光中継装置に接続され、光信号の伝送速度を取得し、光中継装置に取得した伝送速度を送信し、光中継装置または光中継装置に接続された光伝送装置から、当該伝送速度に対応可能の信号を受信したとき、光中継装置に速度設定要求を送信する光トランスポンダにより、達成できる。
【０００８】
また、複数の伝送速度の光信号を収容する光トランスポンダと、この光トランスポンダに接続されたスイッチと、このスイッチの複数のポートに接続された複数の光中継装置とからなり、光トランスポンダは、光信号の伝送速度を取得し、スイッチに取得した伝送速度を送信し、光中継装置または光中継装置に接続された光伝送装置から、当該伝送速度に対応可能の信号を受信したとき、光中継装置に速度設定要求を送信する光伝送システムにより、達成できる。
【発明の効果】
【０００９】
本発明によれば、対向するマルチレートトランスポンダにおいてクライアント装置からの信号速度を自動判別し、主信号にトランスポンダの伝送速度を設定する特殊なデータパターンを伝送することによって、使用するインタフェースに合わせた伝送速度設定を自動的に行うことができる。また、伝送路上の経路切り替えスイッチを検出し、使用可能な伝送路を自動的に割り当て、予備の伝送路が存在する場合にはあらかじめ速度設定を行うことで障害発生時には即時経路切り替えが行える。スイッチに切り替え先を記録する方式を採用した結果、別に速度設定を行うための制御用ネットワークを使用することなく簡易かつ経済的に設定を行うことが可能となる。
【図面の簡単な説明】
【００１０】
【図１】トランスポンダの構成を説明するブロック図である。
【図２】トランスポンダの処理のフローチャートである。
【図３】光中継装置の構成を説明するブロック図である。
【図４】光中継装置の処理のフローチャートである。
【図５】スイッチの構成を説明するブロック図である。
【図６Ａ】スイッチの処理のフローチャートである（その１）。
【図６Ｂ】スイッチの処理のフローチャートである（その２）。
【図６Ｃ】スイッチの処理のフローチャートである（その３）。
【図７Ａ】２台の中継装置と２台のトランスポンダの光伝送システムのブロック図である。
【図７Ｂ】２台の中継装置を介する２台のトランスポンダ間の伝送速度変更シーケンス図である。
【図８Ａ】２台のトランスポンダと２台のスイッチと４台の中継装置とからなる光伝送システムのブロック図である。
【図８Ｂ】スイッチを介したトランスポンダ間の伝送速度変更シーケンス図である。
【図９】予備伝送路を共有する光伝送システムのブロック図である（その１）。
【図１０】予備伝送路を共有する光伝送システムのブロック図である（その２）。
【図１１】予備伝送路を共有する光伝送システムのブロック図である（その３）。
【発明を実施するための形態】
【００１１】
以下、本発明の実施の形態について、実施例を用い図面を参照しながら詳細に説明する。なお、実質同一部位には、同じ参照番号を振り、説明は繰り返さない。
【００１２】
本実施例は、距離の離れた２地点に設置されているクライアント装置同士を接続するものであり、２地点のクライアント装置にはそれぞれトランスポンダが接続され、光中継装置の複数の中継を経てデータ伝送を行なうことができる。光中継装置は、システム要求により、使用しない場合または１台以上の任意の台数により構成が可能である。
【００１３】
図１を参照して、トランスポンダの構成を説明する。図１において、トランスポンダは、信号速度判別部１０２、速度設定制御部１０１、信号挿入部１０３、２台の波長変換部１０４から構成される。波長変換部１０４−１は、クライアント信号の波長を変換して伝送路に送出する。波長変換部１０４−２は、伝送路からの光信号の波長を変換（Ｏ／Ｅ／Ｏ変換）してクライアントに送出する。信号速度判別部１０２は、クライアント信号の信号速度を判断する。速度設定制御部１０１は、中継装置に送信する回線速度情報、速度設定実施要求、スイッチに送信するポート切り替え要求、障害時切り替え先登録要求の信号を生成する。信号挿入部１０３は、速度設定制御部が生成した、各種信号を主信号に挿入して、伝送路に送出する。速度設定制御部１０１は、主信号の速度およびにかかわらず、速度設定、経路探索の処理を行うために、あらかじめ決められた速度設定用レートで動作する。
【００１４】
トランスポンダの処理の流れを説明する。図１において、速度設定制御部１０１は、信号速度判別部１０２がクライアント装置からの信号速度の変更を検出すると、速度設定処理を開始する。速度設定制御部１０１は、信号速度判別部１０２によって検出された信号速度情報を伝送路に送出する。すべての中継装置、対向トランスポンダが速度変更を了承すると、ＡＣＫが対向トランスポンダより送信されてくる。このＡＣＫを受信すると、速度設定制御部１０１は、信号挿入部１０３を通して伝送路に速度設定実施要求を送出する。スイッチが接続されていた場合は、スイッチより現在トランスポンダが接続されているポート番号と、使用されていないポート番号が送信される。この情報に従って、速度設定制御部１０１は、使用されていないポートに順次切り替えを行ない信号速度情報を伝送路に送出する。対向トランスポンダからのＡＣＫが返信された伝送路について、速度設定制御部１０１は、速度設定実施要求を送出し、スイッチにその未使用伝送路を最初に接続されていた伝送路の予備として記録させる。
【００１５】
ただし、すでに他のトランスポンダから速度設定が行われた伝送路に速度設定を行なおうと試みた場合、スイッチよりポート番号と設定されている速度が通知される。その場合、トランスポンダ１００は、速度設定は行なわず一時的に速度設定制御部１０１に通知を記録する。すべての未使用伝送路に速度設定を試みた後にすべての通知内容から、トランスポンダ１００は、「伝送路の速度設定を上書きしても予備の伝送路を１つも持たないトランスポンダが存在しない」という条件を満たすかどうか判断する。条件を満たす場合にのみ、速度設定制御部１０１は、速度設定実施要求を送出する。条件を満たさない場合、速度設定制御部１０１は、未使用伝送路を最初に接続されていた伝送路の予備として記録させる処理のみを行なう。
スイッチから伝送路切り替え通知が送信された場合、速度設定制御部１０１は、伝送路に速度設定実施要求を送信し、速度設定を行い、伝送路に主信号を流す。
【００１６】
図２を参照して、トランスポンダの処理の流れを再度説明する。図２において、トランスポンダ１００は、障害を検出するとクライアント装置からの速度不明の信号による障害か判定する（Ｓ１１）。ＹＥＳのとき、トランスポンダ１００は、信号速度を取得する（Ｓ１２）。トランスポンダ１００は、取得した信号速度情報を中継装置２００へ転送する（Ｓ１３）。トランスポンダ１００は、スイッチ３００が接続されているか判定する（Ｓ１４）。ＹＥＳのとき、トランスポンダ１００は、スイッチ３００ｎｉ速度設定を試みていない空きポートがあるか判定する（Ｓ１６）。ＹＥＳのとき、トランスポンダ１００は、スイッチ３００に対して空きポートへの伝送路切り替え命令を送信し、スイッチ３００からの切り替え完了通知を受信する（Ｓ１７）。トランスポンダ１００は、対向トランスポンダからのＡＣＫを受信し、速度設定実施要求を送信する（Ｓ１８）。トランスポンダ１００は、スイッチから通知が返信されたか判定する（Ｓ１９）。ＹＥＳのとき、トランスポンダ１００は、通知内容を記録して（Ｓ２１）、ステップ１６に戻る。ステップ１９において、ＮＯのとき、トランスポンダ１００は、そのままステップ１６に戻る。
【００１７】
ステップ１１でＮＯのとき、伝送路障害なので、トランスポンダ１００は、スイッチからの伝送路切り替え通知を受信する（Ｓ２２）。トランスポンダ１００は、現在の伝送路に速度設定要求を送信して（Ｓ２３）、終了する。
【００１８】
ステップ１４でＮＯのとき、トランスポンダ１００は、速度設定が完了しているか判定する（Ｓ２４）。ＹＥＳのとき、トランスポンダ１００は、終了する。ステップ２４でＮＯのとき、トランスポンダ１００は、現在の伝送路に速度設定情報を転送して（Ｓ２６）、ステップ１７に遷移する。
【００１９】
ステップ１６でＮＯのとき、トランスポンダ１００は、スイッチからの通知が記録されているか判定する（Ｓ２７）。ＹＥＳのとき、トランスポンダ１００は、速度上書き設定が可能か判定する（Ｓ２８）。ＹＥＳのとき、トランスポンダ１００は、現在の伝送路に速度上書き設定命令を転送し、現在の伝送路を予備伝送路にするようスイッチに指示する（Ｓ３１）。トランスポンダ１００は、最初のポート設定に戻して（Ｓ３２）、終了する。ステップ２８でＮＯのとき、トランスポンダ１００は、現在の伝送路を予備伝送路に登録するようスイッチに指示し、最初のポート設定に戻して（Ｓ３３）、終了する。ステップ２７でＮＯのとき、トランスポンダ１００は、速度設定を終了し、ポート設定を元に戻して（Ｓ３４）、終了する。
【００２０】
図３を参照して、光中継装置の構成を説明する。図３において、光中継装置２００は、それぞれ２台の速度設定制御部２０１、信号処理部２０２、速度情報／速度設定要求信号挿入部２０３から構成される。信号処理部２０２は、光信号を電気信号に変換し、再び光信号に変換して伝送路に送出する。速度設定制御部２０１は、トランスポンダから送信された速度設定情報を受信し、自身の対応速度と比較してエラーを上流に返信するか下流に速度設定情報を転送するかを判断する。速度情報／速度設定実施要求挿入部２０３は、速度設定信号、速度設定実施要求、エラーを伝送路に挿入する。
【００２１】
図３に示す光中継装置２００において、速度設定制御部２０１は、速度設定情報を受信する。速度設定制御部２０１は、受信した速度設定情報に含まれる速度と自身の対応速度と比較する。対応している速度の場合、速度情報／速度設定実施要求挿入部２０３を通して、速度設定情報をそのまま下流に転送する。対応していない場合、速度設定制御部２０１は、逆方向の速度情報／速度設定実施要求挿入部２０３を通してエラーを上流に返信する。
【００２２】
速度設定実施要求を受信すると、速度設定制御部２０１は、自身の対応速度と比較する。対応している速度の場合、速度設定制御部２０１は、速度情報／速度設定実施要求挿入部２０３を通して速度設定情報をそのまま下流に転送する。速度設定制御部２０１は、速度設定を実施する。対応していない場合、速度設定制御部２０１は、逆方向の速度情報／速度設定実施要求挿入部２０３を通して、エラーを上流に返信する。
なお、光中継装置は、再生中継装置（３Ｒ）として説明したが、光増幅中継装置（１Ｒ）であってもよい。
【００２３】
図４を参照して、光中継装置の信号処理を説明する。図４において、光中継装置２００は、トランスポンダ１００からの信号を受信すると、信号内容を確認する（Ｓ４１）。速度設定情報のとき、光中継装置２００は、対応速度か判定する（Ｓ４２）。ＹＥＳのとき、光中継装置２００は、速度設定情報を転送して（Ｓ４３）、終了する。ステップ４２でＮＯのとき、光中継装置２００は、エラーを返して（Ｓ４４）、終了する。
【００２４】
ステップ４１で、速度設定実施要求のとき、光中継装置２００は、対応速度か判定する（Ｓ４６）。ＹＥＳのとき、光中継装置２００は、速度設定要求を転送する（Ｓ４７）。光中継装置２００は、速度設定を実施し（Ｓ４８）、終了する。ステップ４６でＮＯのとき、光中継装置２００は、エラーを返して（Ｓ４９）、終了する。
【００２５】
図５を参照して、スイッチの構成を説明する。図５において、スイッチ３００は、片側３入力、３出力であり、６台の信号検出部３０１と、２台のスイッチ切り替え部３０７と、制御部３１０とから構成されている。さらに、制御部３１０は、信号挿入部３１１と、スイッチ制御部３１２と、予備伝送路記憶部３１３とから構成される。
【００２６】
信号検出部３０１は、光信号の有無を判断し、トランスポンダからの速度設定情報、速度設定実施要求、ポート切り替え要求、予備伝送路情報を検出する。スイッチ制御部３１２は、スイッチ切り替えを制御する。予備伝送路記録部３１３は、トランスポンダから送信された障害発生時の予備伝送路情報を記録する。信号挿入部３１１は、トランスポンダから送信される速度情報、速度設定実施要求、トランスポンダへ送信するポート情報、ポート切り替え完了通知、速度情報信号、対向スイッチに対するポート切り替え要求を伝送路に送出する。スイッチ切り替え部３０７は、ポート切り替えを実施する。
【００２７】
図５において、スイッチ３００は、信号検出部３０１でトランスポンダからの信号を検出する。トランスポンダ１００からの信号を検出すると、スイッチ制御部３１２、信号挿入部３１１が起動する。スイッチ３００は、トランスポンダ１００からの信号をスイッチ制御部３１２、信号挿入部３１１を経由して伝送路に転送するモードに移行する。
【００２８】
信号がトランスポンダからの速度設定情報だった場合、スイッチ制御部３１２は、各ポートの光信号の有無を確認する。スイッチ制御部３１２は、信号挿入部３１１を通してトランスポンダに接続ポートと空きポート情報を返信する。スイッチ制御部３１２は、速度設定情報を下流に転送する。
【００２９】
信号がトランスポンダからの速度設定実施要求だった場合、スイッチ制御部３１２は、速度設定対象の伝送路がすでに他のトランスポンダによって速度設定が行なわれ、予備の伝送路として登録されているかを確認する。登録されていない場合、スイッチ制御部３１２は、信号挿入部３１１に速度設定実施要求を下流に転送させる。登録されていた場合、スイッチ制御部３１２は、設定されている伝送路の動作速度をトランスポンダ１００に通知する。
【００３０】
信号がトランスポンダからの経路切り替え要求だった場合、スイッチ制御部３１２は、伝送路切り替えを実施する。スイッチ制御部３１２は、対向スイッチに経路切り替え要求を転送する。
【００３１】
信号がトランスポンダからの予備伝送路情報記録要求だった場合、スイッチ制御部３１２は、予備伝送路記憶部３１３に記録する。スイッチ制御部３１２は、対向スイッチに予備伝送路情報記録要求を転送する。
【００３２】
その他の信号の場合、スイッチ制御部３１２は、そのまま下流に転送する。
主信号が導通しているとき、スイッチ制御部３１２、信号挿入部３１１は、停止する。伝送路側の信号検出部３０１−６、３０１−５、３０１−４が光信号の消失を検出した場合、スイッチ制御部３１２、信号挿入部３１１が起動する。予備伝送路記憶部３１３の予備伝送路情報に従ってスイッチ制御部３１２は、伝送路を切り替える。切り替え先伝送路の設定速度がトランスポンダの動作速度と等しくない場合、スイッチ制御部３１２は、トランスポンダ１００に切り替え通知を送信する。伝送路側の信号検出部３０１−６、３０１−５、３０１−４が対向スイッチからのポート切り替え要求を受信した場合、スイッチ制御部３１２は、要求にしたがってポートを切り替える。
【００３３】
図６を参照して、スイッチの処理を説明する。図６Ａにおいて、スイッチ３００は、トランスポンダ１００からの信号を受信すると、信号内容を確認する（Ｓ６１）。伝送路切り替え要求のとき、スイッチ３００は、伝送路を切り替え、トランスポンダ１００に切り替え完了通知を送信して（Ｓ６２）、終了する。ステップ６１で予備伝送路情報記録命令のとき、スイッチ３００は、予備伝送路情報を記録して（Ｓ６３）、終了する。ステップ６１で速度設定情報のとき、スイッチ３００は、トランスポンダ１００に接続ポートと空きポート情報を送信する（Ｓ６４）。スイッチ３００は、速度設定情報を転送して（Ｓ６６）、終了する。ステップ６１で速度設定実施要求のとき、スイッチ３００は、速度設定対象の伝送路はすでに速度が設定されているか判定する（Ｓ６７）。ＹＥＳのとき、スイッチ３００は、速度設定要求をそのまま転送して（Ｓ６８）、終了する。ステップ６７でＹＥＳのとき、スイッチ３００は、当該伝送路は速度が設定されていないことをトランスポンダ１００に通知して（Ｓ６９）、終了する。
【００３４】
図６Ｂにおいて、スイッチ３００は、伝送路側の信号消失を検出したとき、切り替え先伝送路の速度が、トランスポンダ１００の動作速度と等しいか判定する（Ｓ８１）。ＹＥＳのとき、スイッチ３００は、予備系伝送路情報に従って、伝送路を切り替えて（Ｓ８２）、終了する。ステップ８１でＮＯのとき、スイッチ３００は、予備系伝送路情報に従って伝送路を切り替え、トランスポンダ１００に伝送路切り替え通知を送信して（Ｓ８３）、終了する。
図６Ｃにおいて、スイッチ３００は、対向スイッチからポート切り替え要求を受信すると、要求に従ってポートを切り替えて（Ｓ８６）、終了する。
【００３５】
図７を参照して、トランスポンダが受信したクライアント信号の速度に基づいて、中継装置と対向するトランスポンダに速度設定するシーケンスを説明する。まず、図７Ａを参照して、光伝送システムの構成を説明する。図７Ａにおいて、光伝送システム５００Ａは、２台のトランスポンダ１００は、２台の中継装置２００を介して接続されている。
【００３６】
図７Ｂにおいて、トランスポンダ１００−１は、入力されたクライアント信号から速度を判断し、主信号を止め、中継装置２００−１に回線速度情報を速度設定用レートで送出する（Ｓ１０１）。回線速度情報を受信した中継装置２００−１は、自分の対応速度情報と受信した回線速度情報を比較する（Ｓ１０２）。ここでは、対応していたので、中継装置２００−１は、中継装置２００−２に回線速度情報を送出する（Ｓ１０３）。回線速度情報を受信した中継装置２００−２は自分の対応速度情報と受信した回線速度情報を比較する（Ｓ１０４）。ここでは、対応しているので、中継装置−２は、トランスポンダ１００−２に回線速度情報を送出する（Ｓ１０６）。
【００３７】
回線速度情報を受信したトランスポンダ１００−２は、自分の対応速度情報と受信した回線速度情報を比較する（Ｓ１０７）。ここでは、対応しているので、トランスポンダ１００−２は、トランスポンダ１００−１にＡＣＫ（回線速度対応確認完了）を返す（Ｓ１０８）。対向トランスポンダ１００−２からＡＣＫを受信したトランスポンダ１００−１は、すべての中継装置とトランスポンダが回線速度に対応していると判断し、速度設定実施要求を中継装置２００−１に送出する（Ｓ１０９）。中継装置２００−１は、速度設定を実施する（Ｓ１１１）。中継装置２００−１は、中継装置２００−２に速度設定実施要求を速度設定用レートで伝送する（Ｓ１１２）。中継装置２００−２は、速度設定を実施する（Ｓ１１３）。中継装置２００−２は、トランスポンダ１００−２に速度設定実施要求を速度設定用レートで伝送する（Ｓ１１４）。速度設定実施要求を受信したトランスポンダ１００−２は、速度設定を行なう（Ｓ１１６）。トランスポンダ１００−２は、回線速度でトランスポンダ１００−１にＡＣＫ（速度設定完了）を返す（Ｓ１１７）。中継装置２００−１、２００−２は、トランスポンダ１００−２からのＡＣＫについて、そのまま転送する。トランスポンダ１００−１は、ＡＣＫを受信すると、速度設定が完了したと判断し、クライアント信号（主信号）を流し始める。なお、図７Ｂ中の太い矢印は、回線速度の信号、細い矢印は速度設定用レートの信号を意味する。
【００３８】
図８を参照して、伝送路を２本持ち、障害発生時に予備伝送路に切り替える場合の速度設定、予備伝送路登録のシーケンスを説明する。まず、図８Ａを参照して、光伝送システムの構成を説明する。図８Ａにおいて、光伝送システム５００Ｂは、２台のトランスポンダ１００は、２台のスイッチ３００と、それぞれ２台の中継装置２００の組を介して接続されている。なお、スイッチ３００−１に付したポート番号（ｉ）は現用系、ポート番号（ｉｉ）は予備系である。
【００３９】
図８Ｂにおいて、トランスポンダ１００−１は、トランスポンダ１００−１は、入力されたクライアント信号から速度を判断し、スイッチ３００−１に回線速度情報を速度設定用レートで送出する（Ｓ１２１）。スイッチ３００−１は、トランスポンダ１００−１に信号２００２として現在トランスポンダ１００−１が接続されている伝送路のポート番号（ｉ）と、現在使用されていない伝送路のポート番号（ｉｉ）を返信する（Ｓ１２２）。スイッチ３００−１は、ポート情報を送信した後、中継装置２００−１、２００−２、トランスポンダ１００−２に対する回線速度情報について、そのまま通すため、図７Ｂの手順（Ｓ１０１〜Ｓ１１７）により（ｉ）の伝送路に対し速度設定が行なわれる。
【００４０】
トランスポンダ１００−１は、スイッチ３００−１にポート番号（ｉｉ）に切り替えるようポート切り替え要求を送信する（Ｓ１２３）。スイッチ３００−１は、ポートを変更する（Ｓ１２４）。スイッチ３００−１は、対向するスイッチ３００−２にポート番号切り替えを要求する（Ｓ１２６）。スイッチ３００−２は、ポートを変更する（Ｓ１２７）。スイッチ３００−２は、ポート変更完了信号をスイッチ３００−１に送信する（Ｓ１２８）。スイッチ３００−１は、トランスポンダ１００−１にポート変更完了信号を送信する（Ｓ１２９）。トランスポンダ１００−１は、図７Ｂの手順により（ｉｉ）の伝送路に対しても速度設定を行なう。
【００４１】
トランスポンダ１００−１は、ステップ１２３からステップ１２９の手順でスイッチ３００−１、３００−２のポート設定を（ｉ）に戻す（Ｓ１３１〜１３７）。トランスポンダ１００−１は、スイッチ３００−１に（ｉｉ）に接続された伝送路を（ｉ）に接続された伝送路の予備として記録するよう予備伝送路記録要求を送信する（Ｓ１３８）。スイッチ３００−１は、（ｉｉ）に接続された伝送路を（ｉ）に接続された伝送路の予備として記録する（Ｓ１３９）。スイッチ３００−１は、スイッチ３００−２に予備伝送路記録要求を転送する（Ｓ１４１）。スイッチ３００−２は、（ｉｉ）に接続された伝送路を（ｉ）に接続された伝送路の予備として記録する（Ｓ１４２）。
【００４２】
トランスポンダ１００−１は、伝送路にクライアント信号を流し始める（Ｓ１４３）。（ｉ）に接続された伝送路に障害が発生した場合、スイッチ３００−１、３００−２は、予備伝送路記録に従って、ポートを（ｉ）から（ｉｉ）に切り替える。
【００４３】
図９を参照して、同じ速度で動作するＡ１、Ｃ１の２本の伝送路を通常時に使用し、１本の予備の伝送路Ｂ１を共有する光伝送システムを説明する。図９において、光伝送システム５００Ｃは、４台のトランスポンダ１００と、２台のスイッチ３００と、３系統の伝送路に設置された光中継器２００とから構成される。光中継器２００−１、２００−２は、伝送路Ａ１に設置されている。光中継器２００−３、２００−４は、伝送路Ｃ１に設置されている。光中継器２００−５、２００−６は、伝送路Ｃ１に設置されている。スイッチ３００−１は、トランスポンダ１００−１、１００−３と接続されている。スイッチ３００−２は、トランスポンダ１００−２、１００−４と接続されている。トランスポンダ１００−１は、トランスポンダ１００−２と通信する。トランスポンダ１００−３は、トランスポンダ１００−４と通信する。
【００４４】
トランスポンダ１００−１は、伝送路Ａ１、Ｂ１に対して図８Ｂの手順でトランスポンダ１００−１の動作速度に速度設定を行なう。トランスポンダ１００−１は、スイッチ３００−１に伝送路Ｂ１をトランスポンダ１００−１の動作速度でＡ１の予備伝送路として記録するように要求する。スイッチ３００−１は、スイッチ３００−２に予備伝送路記録要求を転送する。
【００４５】
スイッチ３００−１、３００−２が予備伝送路情報を記録した後、トランスポンダ１００−３は、伝送路Ｂ１、Ｃ１に対して図８Ｂの手順で速度設定を行なう。スイッチ３００−１は、伝送路Ｂ１がトランスポンダ１００−１の動作速度で予備として記録されていることをトランスポンダ１００−３に通知する。トランスポンダ１００−３は、トランスポンダ１００−１の動作速度がトランスポンダ１００−３の動作速度と一致するのでスイッチ３００−１に伝送路Ｂ１をＣ１の予備伝送路として記録するように要求する。スイッチ３００−１は、スイッチ３００−２に予備伝送路記録要求を転送する。伝送路Ａ１に障害が発生した場合、スイッチ３００−１、３００−２は、ポート番号を（ｉｉ）に変更し、即時伝送路Ｂ１００−１に信号を流す。伝送路Ｃ１に障害が発生した場合も、スイッチ３００−１、３００−２は、ポート番号を（ｉｉ）に変更し、伝送路Ｂ１に即時信号を流す。
【００４６】
図１０を参照して、異なる速度で動作する２本の伝送路Ａ２、Ｃ２を通常時に使用し、両方の速度に対応している１本の予備の伝送路Ｂ２を共有する光伝送システムを説明する。図１０において、光伝送システム５００Ｄの構成は、図９の光伝送システム５００Ｃと同じである。しかし、トランスポンダ１００−１、トランスポンダ１００−２間の通信速度と、トランスポンダ１００−３、トランスポンダ１００−４間の通信速度は、異なる。
【００４７】
トランスポンダ１００−１は、伝送路Ａ２、Ｂ２に対して図８Ｂの手順でトランスポンダ１００−１の動作速度に速度設定を行なう。トランスポンダ１００−１は、スイッチ３００−１に伝送路Ｂ２をトランスポンダ１００−１の動作速度でＡ２の予備として記録するように要求する。
【００４８】
トランスポンダ１００−３は、伝送路Ｂ２、Ｃ２に対して図８Ｂの手順で速度設定を行なう。トランスポンダ１００−３は、対向トランスポンダ１００−４からＡＣＫが返信されるため、伝送路Ｂ２はトランスポンダ１００−３の動作速度に対応していると判断し、速度設定を試みる。しかし、スイッチ３００−１は伝送路Ｂ２がトランスポンダ１００−１の動作速度で予備として記録されていることをトランスポンダ１００−３に通知する。トランスポンダ１００−３は、トランスポンダ１００−１の動作速度がトランスポンダ１００−３の動作速度と一致しないため、予備系の速度設定は行わない。すべての未使用伝送路に速度設定を試みた後、上書き速度設定が可能か判断を行うが、伝送路Ｂに上書きで速度設定を行うと伝送路Ａ２の予備伝送路が存在しなくなるため上書き速度設定は行なわない。
【００４９】
トランスポンダ１００−３は、伝送路Ｃ２（ポートｉｉｉ）の予備としてトランスポンダ１００−３の動作速度でＢ２（ポートｉｉ）を記録するようにスイッチ３００−１に要求する。スイッチ３００−１は、スイッチ３００−２に予備伝送路情報記録要求を転送する。
【００５０】
伝送路Ａ２に障害が発生した場合、スイッチ３００−１、３００−２はポート番号を（ｉｉ）に変更し、伝送路Ｂ２にトランスポンダ１００−１の伝送路を切り替える。伝送路Ｃ２に障害が発生した場合、スイッチ３００−１、３００−２は、トランスポンダ１００−３の伝送路を伝送路Ｂ２に切り替え、スイッチ３００−１がトランスポンダ１００−３に切り替えを通知する。トランスポンダ１００−３は、伝送路Ｂ２に速度設定実施要求を送信し、速度設定を行なう。
【００５１】
図１１を参照して、異なる速度で動作する２本の伝送路Ａ３、Ｄ３を通常時に使用し、両方の速度に対応している予備の伝送路Ｂ３と、片方の速度にのみ対応している伝送路Ｃ３を共有する光伝送システムを説明する。図１１において、光伝送システム５００Ｅは、４台のトランスポンダ１００と、２台のスイッチ３００と、４系統の伝送路に設置された光中継器２００とから構成される。光中継器２００−１、２００−２は、伝送路Ａ３に設置されている。光中継器２００−３、２００−４は、伝送路Ｃ３に設置されている。光中継器２００−５、２００−６は、伝送路Ｂ３に設置されている。光中継器２００−７、２００−８は、伝送路Ｄ３に設置されている。
【００５２】
スイッチ３００−１は、トランスポンダ１００−１、１００−３と接続されている。スイッチ３００−２は、トランスポンダ１００−２、１００−４と接続されている。トランスポンダ１００−１は、トランスポンダ１００−２と通信する。トランスポンダ１００−３は、トランスポンダ１００−４と通信する。
【００５３】
トランスポンダ１００−１は、伝送路Ａ３、Ｂ３に対して図８Ｂの手順でトランスポンダ１００−１の動作速度に速度設定を行なう。トランスポンダ１００−１は、スイッチ３００−１に伝送路Ｂ３をトランスポンダ１００−１の動作速度でＡ３の予備として記録するように要求する。スイッチ３００−１は、スイッチ３００−２に予備伝送路記録要求を転送する。
【００５４】
トランスポンダ１００−１は、伝送路Ａ３、Ｃ３に対して図８Ｂの手順でトランスポンダ１００−１の動作速度に速度設定を行なう。トランスポンダ１００−１は、スイッチ３００−１に伝送路Ｃ３をトランスポンダ１００−１の動作速度でＡ３の予備として記録するように要求する。スイッチ３００−１は、スイッチ３００−２に予備伝送路記録要求を転送する。
【００５５】
トランスポンダ１００−３は、伝送路Ｂ３、Ｄ３に対して図８Ｂの手順で速度設定を行なう。トランスポンダ１００−３は、中継装置２００−５からエラーが返信されるため、伝送路Ｂ３はトランスポンダ１００−３の動作速度に対応していないと判断し、速度設定を終了する。トランスポンダ１００−３は、伝送路Ｃ３、Ｄ３に対して図８Ｂの手順で速度設定を行なう。トランスポンダ１００−３は、対向トランスポンダからＡＣＫが返信されるため、伝送路Ｃ３はトランスポンダ１００−３の動作速度に対応していると判断し、速度設定を試みる。しかし、スイッチ３００−１は、伝送路Ｃ３がトランスポンダ１００−１の動作速度で予備として記録されていることをトランスポンダ１００−３に通知する。トランスポンダ１００−３は、トランスポンダ１００−１の動作速度がトランスポンダ１００−３の動作速度と一致しないため速度設定は行なわない。すべての未使用伝送路に速度設定を試みた後、上書き速度設定が可能か判断を行なう。しかし、伝送路Ｂ３に上書きで速度設定を行っても伝送路Ａ３には伝送路Ｂ３という予備伝送路が存在するため上書き速度設定を行なう。トランスポンダ１００−３は、伝送路Ｄ３（ポートｉｖ）の予備としてトランスポンダ１００−３の動作速度でＣ３（ポートｉｉｉ）を記録するようにスイッチ３００−１に要求する。スイッチ３００−１は、スイッチ３００−２に予備伝送路記録要求を転送する。伝送路Ａ３に障害が発生した場合、スイッチ３００−１、３００−２はポート番号を（ｉｉ）に変更し、伝送路Ｂ３にトランスポンダ１００−１の伝送路を切り替える。伝送路Ｄ３に障害が発生した場合、スイッチ３００−１、３００−２は、トランスポンダ１００−３の伝送路を伝送路Ｃ３に切り替える。
【００５６】
光伝送装置として様々なインタフェースに対応するマルチレートトランスポンダが増加している。そのマルチレートトランスポンダを使用する際、上述した実施例に拠れば、個々のインタフェースに合わせた速度設定を行うための監視制御ネットワークを別に構築することなく遠隔装置に対して自動的に伝送速度設定を行うことが可能となる。また、伝送路上の経路切り替えスイッチを検出し、使用可能な伝送路を自動的に割り当て、使用可能な予備の伝送路が存在する場合にはあらかじめ速度設定を行なう。この結果、障害発生時には即時経路切り替えが行なえる。スイッチに切り替え先を記録するため、速度設定を行なうため、簡易かつ経済的に設定を行うことが可能となる。
【符号の説明】
【００５７】
１００…トランスポンダ、１０１…速度設定制御部、１０２…信号速度判別部、１０３…トランスポンダ信号挿入部、１０４…波長変換部、２００…光中継装置、２０１…速度設定制御部、２０２…信号処理部、２０３…速度情報／速度設定実施要求挿入部、３００…スイッチ、３０１…信号検出部、３０７…スイッチ切り替え部、３１０…制御部、３１１…信号挿入部、３１２…スイッチ制御部、３１３…予備伝送路記憶部、５００…光伝送システム。
【図１】
2011010004.tif 000003
【図２】
2011010004.tif 000004
【図３】
2011010004.tif 000005
【図４】
2011010004.tif 000006
【図５】
2011010004.tif 000007
【図６Ａ】
2011010004.tif 000008
【図６Ｂ】
2011010004.tif 000009
【図６Ｃ】
2011010004.tif 000010
【図７Ａ】
2011010004.tif 000011
【図７Ｂ】
2011010004.tif 000012
【図８Ａ】
2011010004.tif 000013
【図８Ｂ】
2011010004.tif 000014
【図９】
2011010004.tif 000015
【図１０】
2011010004.tif 000016
【図１１】
2011010004.tif 000017